(57)【特許請求の範囲】
【請求項１】
脈流電圧を印加する電源装置と、
前記電源装置から前記脈流電圧が印加されることにより、前記脈流電圧の印加時の電圧値に応じた輝度で発光する発光素子と、
前記脈流電圧が予め決められた基準電圧値であるか否か判定する判定手段と、前記判定手段の判定結果が肯定である場合、前記判定手段の判定結果が肯定であることを知らせる検知信号を出力する出力手段を有する電圧検出回路と、
前記電圧検出回路からの前記検知信号の入力を契機に、前記発光素子への前記脈流電圧の印加及び印加停止が制御周期に従って周期的に行われるように制御する発光制御を行うと共に、予め定めた単位時間当たりの前記検知信号の入力回数から前記発光素子に印加される前記脈流電圧の脈流周期を特定する発光制御手段と、
前記発光制御手段が特定した脈流周期に応じて、前記脈流電圧の脈流周期に所定時間差分が生じるように設定される制御周期を計測する差分周期計測手段と、を備え、
前記制御周期は、前記制御周期が等分割されてなる複数の割込周期から構成され、
前記差分周期計測手段は、前記制御周期が前記脈流電圧の周期と所定時間差分を生じるように設定された前記割込周期を計測し、
前記発光制御手段は、前記割込周期が経過する毎に、前記発光素子へ前記脈流電圧を印加させるための点灯制御、又は前記発光素子への前記脈流電圧の印加を停止させるための消灯制御を行うと共に、特定した脈流周期に応じて前記発光制御の制御内容を変更するように構成されていることを特徴とする遊技機。
【請求項２】
脈流電圧を印加する電源装置と、
前記電源装置から前記脈流電圧が印加されることにより、前記脈流電圧の印加時の電圧値に応じた輝度で発光する発光素子と、
前記脈流電圧が予め決められた基準電圧値であるか否か判定する判定手段と、前記判定手段の判定結果が肯定である場合、前記判定手段の判定結果が肯定であることを知らせる検知信号を出力する出力手段を有する電圧検出回路と、
前記電圧検出回路からの前記検知信号の入力を契機に、前記発光素子への前記脈流電圧の印加及び印加停止が制御周期に従って周期的に行われるように制御する発光制御を行うと共に、予め定めた単位時間当たりの前記検知信号の入力回数から前記発光素子に印加される前記脈流電圧の脈流周期を特定する発光制御手段と、
前記発光制御手段が特定した脈流周期に応じて、前記脈流電圧の脈流周期に所定時間差分が生じるように設定される制御周期を計測する差分周期計測手段と、を備え、
前記制御周期は、前記制御周期が等分割されてなる複数の割込周期から構成され、
前記差分周期計測手段は、前記制御周期が前記脈流電圧の周期と所定時間差分を生じるように設定された前記割込周期を計測し、
前記発光制御手段は、前記割込周期が経過する毎に、前記発光素子へ前記脈流電圧を印加させるための点灯制御、又は前記発光素子への前記脈流電圧の印加を停止させるための消灯制御を行うと共に、特定した脈流周期に応じて印加時間及び印加停止時間とを変更するように構成されていることを特徴とする遊技機。
【請求項３】
脈流電圧を印加する電源装置と、
前記電源装置から前記脈流電圧が印加されることにより、前記脈流電圧の印加時の電圧値に応じた輝度で発光する発光素子と、
前記脈流電圧が予め決められた基準電圧値であるか否か判定する判定手段と、前記判定手段の判定結果が肯定である場合、前記判定手段の判定結果が肯定であることを知らせる検知信号を出力する出力手段を有する電圧検出回路と、
前記電圧検出回路からの前記検知信号の入力を契機に、前記発光素子への前記脈流電圧の印加及び印加停止が制御周期に従って周期的に行われるように制御する発光制御を行うと共に、予め定めた単位時間当たりの前記検知信号の入力回数から前記発光素子に印加される前記脈流電圧の脈流周期を特定する発光制御手段と、
前記発光制御手段が特定した脈流周期に応じて、前記脈流電圧の脈流周期に所定時間差分が生じるように設定される制御周期を計測する差分周期計測手段と、
前記発光素子への前記脈流電圧の印加時間及び印加停止時間が設定されている発光制御の制御パターンが前記発光素子に印加される脈流電圧の脈流周期に応じて記憶されている記憶手段とを備え、
前記制御周期は、前記制御周期が等分割されてなる複数の割込周期から構成され、
前記差分周期計測手段は、前記制御周期が前記脈流電圧の周期と所定時間差分を生じるように設定された前記割込周期を計測し、
前記発光制御手段は、前記割込周期が経過する毎に、特定した脈流周期に応じた制御パターンに基づき、前記発光素子へ前記脈流電圧を印加させるための点灯制御、又は前記発光素子への前記脈流電圧の印加を停止させるための消灯制御を行うと共に、特定した脈流周期に応じて制御パターンを変更し、変更した当該制御パターンにて前記発光制御を行うことを特徴とする遊技機。
【請求項４】
前記出力手段は、前記判定手段の判定結果が肯定である場合、前記検知信号を前記発光制御手段に対して一定時間出力することを特徴とする請求項１〜請求項３のうちいずれか一項に記載の遊技機。
【請求項５】
前記差分周期計測手段は、周波数発振器から出力された外部クロック信号の周波数を分周したクロック信号の入力回数を計測することにより、前記割込周期を計測することを特徴とする請求項１〜請求項４のいずれか一項に記載の遊技機。
【請求項６】
前記所定時間差分は、０秒よりも大きく、０．５ミリ秒以下であることを特徴とする請求項１〜請求項５のうちいずれか一項に記載の遊技機。
【発明の詳細な説明】
【技術分野】
【０００１】
本発明は、発光演出を行う発光素子を備える遊技機に関するものである。
【背景技術】
【０００２】
従来、遊技機の一種であるパチンコ機では、その外郭である前枠の前面側及び遊技盤の遊技領域には、多数の発光体（発光素子）から構成される装飾ランプが設けられている。この装飾ランプは、立体的なカバーにより覆われていたり、また、パチンコ機に関するモチーフを模した意匠の形をしていたりするので、装飾ランプを遊技機に設けることにより、パチンコ機のデザイン性を向上させて注意を惹くことができる。また、それと共に、装飾ランプは、点灯（点滅）又は消灯して、発光装飾に基づく遊技演出（発光演出）を行うため、遊技者の視覚に訴えて遊技者に注目させ、遊技者の興趣を向上させることができる。例えば、点灯時間の長さを段階的に切り替えることによってその明るさを変化させる所謂階調制御を行うようにした装飾ランプが提案されている（特許文献１参照）。
【特許文献１】特開２００３−１９０４１０号公報（［００４８］）
【特許文献２】特開２００１−３３４０２４号公報
【発明の開示】
【発明が解決しようとする課題】
【０００３】
ところで、装飾ランプを発光させる際、脈流電圧を使用して、装飾ランプを構成する発光素子（抵抗フィラメント）の寿命を延ばす場合がある（特許文献２参考）。
しかしながら、特許文献１の装飾ランプにおける階調制御のように、点灯時間の長さを段階的に切り替えて、発光素子の輝度を変化させる階調制御を行う場合、電圧値が周期的に変動しているので、所望の輝度で発光させることができず、発光素子の輝度を変化させる階調制御ができない場合があった。
【０００４】
また、地域（例えば、東日本と西日本）によって交流電流の周期が異なるために当該交流電流に基づいて生成される脈流電圧の周期が異なる場合がある。このため、脈流電圧の周期を予め設定して周期毎に予め決められた期間だけ脈流電圧を印加して発光制御を行う場合、同一のプログラム（制御内容）で発光制御を行っても、地域によって全く異なる発光態様（点灯・消灯の時間、発光素子の輝度など）になってしまう場合がある。以上のような理由からも、脈流電圧を印加した場合、発光素子を所望の輝度で発光させることができなかった。
【０００５】
この発明は、このような従来技術に存在する問題点に着目してなされたものであり、その目的は、異なる周期の脈流電圧が印加される場合であっても、発光素子を所望の輝度で発光させることができる遊技機を提供することにある。
【課題を解決するための手段】
【０００６】
上記目的を達成するために、請求項１に記載の発明は、脈流電圧を印加する電源装置と、前記電源装置から前記脈流電圧が印加されることにより、前記脈流電圧の印加時の電圧値に応じた輝度で発光する発光素子と、前記脈流電圧が予め決められた基準電圧値であるか否か判定する判定手段と、前記判定手段の判定結果が肯定である場合、前記判定手段の判定結果が肯定であることを知らせる検知信号を出力する出力手段を有する電圧検出回路と、前記電圧検出回路からの前記検知信号の入力を契機に、前記発光素子への前記脈流電圧の印加及び印加停止が制御周期に従って周期的に行われるように制御する発光制御を行うと共に、予め定めた単位時間当たりの前記検知信号の入力回数から前記発光素子に印加される前記脈流電圧の脈流周期を特定する発光制御手段と、前記発光制御手段が特定した脈流周期に応じて、前記脈流電圧の脈流周期に所定時間差分が生じるように設定される制御周期を計測する差分周期計測手段と、を備え、前記制御周期は、前記制御周期が等分割されてなる複数の割込周期から構成され、前記差分周期計測手段は、前記制御周期が前記脈流電圧の周期と所定時間差分を生じるように設定された前記割込周期を計測し、前記発光制御手段は、前記割込周期が経過する毎に、前記発光素子へ前記脈流電圧を印加させるための点灯制御、又は前記発光素子への前記脈流電圧の印加を停止させるための消灯制御を行うと共に、特定した脈流周期に応じて前記発光制御の制御内容を変更するように構成されていることを要旨とする。
【０００７】
請求項２に記載の発明は、脈流電圧を印加する電源装置と、前記電源装置から前記脈流電圧が印加されることにより、前記脈流電圧の印加時の電圧値に応じた輝度で発光する発光素子と、前記脈流電圧が予め決められた基準電圧値であるか否か判定する判定手段と、前記判定手段の判定結果が肯定である場合、前記判定手段の判定結果が肯定であることを知らせる検知信号を出力する出力手段を有する電圧検出回路と、前記電圧検出回路からの前記検知信号の入力を契機に、前記発光素子への前記脈流電圧の印加及び印加停止が制御周期に従って周期的に行われるように制御する発光制御を行うと共に、予め定めた単位時間当たりの前記検知信号の入力回数から前記発光素子に印加される前記脈流電圧の脈流周期を特定する発光制御手段と、前記発光制御手段が特定した脈流周期に応じて、前記脈流電圧の脈流周期に所定時間差分が生じるように設定される制御周期を計測する差分周期計測手段と、を備え、前記制御周期は、前記制御周期が等分割されてなる複数の割込周期から構成され、前記差分周期計測手段は、前記制御周期が前記脈流電圧の周期と所定時間差分を生じるように設定された前記割込周期を計測し、前記発光制御手段は、前記割込周期が経過する毎に、前記発光素子へ前記脈流電圧を印加させるための点灯制御、又は前記発光素子への前記脈流電圧の印加を停止させるための消灯制御を行うと共に、特定した脈流周期に応じて印加時間及び印加停止時間とを変更するように構成されていることを要旨とする。
【０００８】
請求項３に記載の発明は、脈流電圧を印加する電源装置と、前記電源装置から前記脈流電圧が印加されることにより、前記脈流電圧の印加時の電圧値に応じた輝度で発光する発光素子と、前記脈流電圧が予め決められた基準電圧値であるか否か判定する判定手段と、前記判定手段の判定結果が肯定である場合、前記判定手段の判定結果が肯定であることを知らせる検知信号を出力する出力手段を有する電圧検出回路と、前記電圧検出回路からの前記検知信号の入力を契機に、前記発光素子への前記脈流電圧の印加及び印加停止が制御周期に従って周期的に行われるように制御する発光制御を行うと共に、予め定めた単位時間当たりの前記検知信号の入力回数から前記発光素子に印加される前記脈流電圧の脈流周期を特定する発光制御手段と、前記発光制御手段が特定した脈流周期に応じて、前記脈流電圧の脈流周期に所定時間差分が生じるように設定される制御周期を計測する差分周期計測手段と、前記発光素子への前記脈流電圧の印加時間及び印加停止時間が設定されている発光制御の制御パターンが前記発光素子に印加される脈流電圧の脈流周期に応じて記憶されている記憶手段とを備え、前記制御周期は、前記制御周期が等分割されてなる複数の割込周期から構成され、前記差分周期計測手段は、前記制御周期が前記脈流電圧の周期と所定時間差分を生じるように設定された前記割込周期を計測し、前記発光制御手段は、前記割込周期が経過する毎に、特定した脈流周期に応じた制御パターンに基づき、前記発光素子へ前記脈流電圧を印加させるための点灯制御、又は前記発光素子への前記脈流電圧の印加を停止させるための消灯制御を行うと共に、特定した脈流周期に応じて制御パターンを変更し、変更した当該制御パターンにて前記発光制御を行うことを要旨とする。
【０００９】
請求項４に記載の発明は、請求項１〜請求項３のうちいずれか一項に記載の発明において、前記出力手段は、前記判定手段の判定結果が肯定である場合、前記検知信号を前記発光制御手段に対して一定時間出力することを要旨とする。
【００１２】
請求項５に記載の発明は、請求項１〜請求項４のうちいずれか一項に記載の発明において、前記差分周期計測手段は、周波数発振器から出力された外部クロック信号の周波数を分周したクロック信号の入力回数を計測することにより、前記割込周期を計測することを要旨とする。
【００１３】
請求項６に記載の発明は、請求項１〜請求項５のうちいずれか一項に記載の発明において、前記所定時間差分は、０秒よりも大きく、０．５ミリ秒以下であることを要旨とする。
【発明の効果】
【００１４】
本発明によれば、異なる周期の脈流電圧が印加される場合であっても、発光素子を所望の輝度で発光させることができる。
【発明を実施するための最良の形態】
【００１５】
以下、本発明をその一種であるパチンコ遊技機（以下、「パチンコ機」と示す）に具体化した一実施形態を図１〜図７に基づき説明する。
図１には、パチンコ機１０の機表側が略示されており、機体の外郭をなす外枠１１の開口前面側には、各種の遊技用構成部材をセットする縦長方形の中枠１２が開閉及び着脱自在に組み付けられている。また、中枠１２の前面側には、機内部に配置された遊技盤１３を保護するためのガラス枠を備えた前枠１４と上球皿１５が共に横開き状態で開閉可能に組み付けられている。前枠１４の前面側及び遊技盤１３の遊技領域１３ａには、点灯（点滅）又は消灯し、発光装飾に基づく遊技演出（発光演出）を行う装飾ランプ１６がそれぞれ設けられている。また、外枠１１の最下部には、各種音声（効果音）を出力し、音声出力に基づく音声演出を行うスピーカ１７が設けられている。中枠１２の下部には、下球皿１８及び発射装置１９が装着されている。
【００１６】
遊技盤１３の遊技領域１３ａの略中央には、液晶ディスプレイ型の可変表示器２０ａを備えた表示装置２０が配設されている。表示装置２０では、可変表示器２０ａの変動画像（又は画像表示）に基づく遊技演出（表示演出）が行われるようになっている。そして、可変表示器２０ａでは、表示演出に関連して、複数種類の図柄を複数列で変動させて図柄組み合わせを導出する図柄組み合わせゲーム（図柄変動ゲーム）が行われるようになっている。
【００１７】
次に、パチンコ機１０の制御構成を図２に基づき説明する。
パチンコ機１０の機裏側には、パチンコ機１０全体を制御する主制御基板３１が装着されている。主制御基板３１は、パチンコ機１０全体を制御するための各種処理を実行し、該処理結果に応じて遊技を制御するための各種の制御信号（制御コマンド）を演算処理し、該制御信号（制御コマンド）を出力する。また、機裏側には、表示制御基板３２と、ランプ制御基板３３と、音声制御基板３４とが装着されている。表示制御基板３２は、主制御基板３１が出力した制御信号（制御コマンド）に基づき、表示装置２０（可変表示器２０ａ）の表示態様（図柄、背景、文字などの表示画像など）を制御する。ランプ制御基板３３は、主制御基板３１が出力した制御信号（制御コマンド）に基づき、装飾ランプ１６の発光態様（点灯（点滅）／消灯のタイミングなど）を制御する。また、音声制御基板３４は、主制御基板３１が出力した制御信号（制御コマンド）に基づき、スピーカ１７の音声出力態様（音声出力のタイミングなど）を制御する。また、パチンコ機１０の機裏側には、遊技場の電源（本実施形態では、実効値２４Ｖ、周波数５０Ｈｚ又は６０Ｈｚの交流電流）が供給される電源基板２６が装着されている。
【００１８】
次に、電源基板２６、主制御基板３１及びランプ制御基板３３の具体的な構成及び接続態様を図２に基づき詳細に説明する。
電源基板２６は、遊技場の電源を変換処理する電源回路３５を備えている。電源回路３５は、遊技場の電源を入力するコネクタ３５ａ、コンデンサやコイルなどから構成される入力回路３５ｂ、ブリッジダイオードなどから構成される全波整流回路３５ｃ、電解コンデンサなどから構成される平滑回路３５ｄ、スイッチングレギュレータやコイルなどから構成される電圧変換回路３５ｅなどを有している。
【００１９】
電源回路３５のコネクタ３５ａは、入力回路３５ｂを介して全波整流回路３５ｃに接続されており、該入力回路３５ｂを介して遊技場の電源（実効値２４Ｖの交流電流）を全波整流回路３５ｃに出力する。全波整流回路３５ｃは、入力した交流電流を全波整流することにより、実効値が２４Ｖの脈流に整流する。脈流とは、同一極性において電圧が周期的に変動する電流をいい、例えば、交流電流を全波整流又は半波整流することにより得られる。脈流電圧とは、同一極性において周期的に変動する電圧のことをいう。
【００２０】
なお、交流電流を全波整流することにより得られた脈流の周期は、同一極性に電圧が変換されるため、交流電流の周期の１／２となる（周波数が２倍になる）。例えば、２０ｍｓ（ミリ秒）の周期を有する（５０Ｈｚの周波数を有する）交流電流を整流した場合、脈流の周期は、１０ｍｓとなる（周波数は１００Ｈｚとなる）。また、例えば、１６．６６ｍｓ（ミリ秒）の周期を有する（６０Ｈｚの周波数を有する）交流電流を整流した場合、脈流の周期は、８．３３ｍｓとなる（周波数は１２０Ｈｚとなる）。
【００２１】
また、全波整流回路３５ｃは、平滑回路３５ｄに接続されており、脈流を平滑回路３５ｄに出力する。平滑回路３５ｄは、入力した脈流を平滑化して、電圧値を一定にした直流電流に変換する。平滑回路３５ｄは、電圧変換回路３５ｅに接続されており、電圧値を一定にした直流電流を電圧変換回路３５ｅに出力する。電圧変換回路３５ｅは、入力した直流電流の電圧を各基板３１〜３４毎に所定の電源電圧Ｖ１〜Ｖ４に変換する。また、電圧変換回路３５ｅは、入力した直流電流の電圧をランプ制御基板３３に設けられた電圧検出回路４２に応じた所定の電源電圧（５Ｖの電圧）Ｖ５に変換する。
【００２２】
電源回路３５は、主制御基板３１、表示制御基板３２、ランプ制御基板３３及び音声制御基板３４が接続されている。そして、電源回路３５は、電圧変換回路３５ｅが基板３１〜３４毎に変換した電源電圧Ｖ１〜Ｖ４を前記各基板３１〜３４にそれぞれ供給するようになっている。
【００２３】
また、電源回路３５は、装飾ランプ１６を発光させる駆動回路３６と、ランプ制御基板３３に備えられた電圧検出回路４２と接続されており、当該駆動回路３６及び電圧検出回路４２に脈流電圧を印加する（脈流を供給する）ようになっている。すなわち、電源回路３５は、全波整流回路３５ｃが整流化した脈流を装飾ランプ１６の駆動電源として出力するようになっている。従って、本実施形態の電源回路３５は、脈流電圧を印加する電源装置となる。また、電源回路３５は、脈流電圧とは別に、電圧変換回路３５ｅが電圧検出回路４２に応じて変換した電源電圧Ｖ５を電圧検出回路４２に供給するようになっている。
【００２４】
次に、主制御基板３１について説明する。
主制御基板３１は、パチンコ機１０全体を制御するメインＣＰＵ３１ａを備えており、該メインＣＰＵ３１ａにはＲＯＭ３１ｂ及びＲＡＭ３１ｃが接続されている。前記メインＣＰＵ３１ａは、各種乱数の値を所定の周期毎に順次更新するようになっている。前記ＲＯＭ３１ｂには、パチンコ機１０を制御するためのメイン制御プログラムなどが記憶されている。前記ＲＡＭ３１ｃには、パチンコ機１０の動作中に適宜書き換えられる各種情報（各種乱数の値など）が記憶されるようになっている。メインＣＰＵ３１ａは、メイン制御プログラムに基づき、図柄組み合わせゲームやデモ演出などの遊技演出に関連して各基板３２〜３４に制御信号（制御コマンド）を出力するようになっている。
【００２５】
次に、ランプ制御基板３３について説明する。
ランプ制御基板３３は、サブＣＰＵ３３ａを備えており、該サブＣＰＵ３３ａにはＲＯＭ３３ｂ及びＲＡＭ３３ｃが接続されている。ＲＯＭ３３ｂには、発光制御を行うための発光制御プログラム等が記憶されている。また、ＲＡＭ３３ｃには、パチンコ機１０の動作中に適宜書き換えられる各種情報が記憶（設定）されるようになっている。サブＣＰＵ３３ａは、前記発光制御プログラムに基づき、発光演出を行わせるように装飾ランプ１６の発光態様を制御するようになっている。
【００２６】
また、このランプ制御基板３３には、周波数発振器（例えば水晶発振器）４０が備えられており、サブＣＰＵ３３ａに接続されている。周波数発振器４０は、所定の周波数（例えば２０ＭＨｚの周波数）を有する外部クロック信号をサブＣＰＵ３３ａへ出力するようになっている。サブＣＰＵ３３ａは、分周回路（図示略）を内部的に有しており、該分周回路を介して周波数発振器４０から入力した外部クロック信号を入力する。分周回路は、外部クロック信号の周波数を１／２に分周して基準クロック信号を生成し、当該基準クロック信号をサブＣＰＵ３３ａに入力するようになっている。すなわち、サブＣＰＵ３３ａは、分周回路を介して周波数発振器４０から２０ＭＨｚの周波数を有する外部クロック信号を入力すると、１０ＭＨｚの周波数を有する基準クロック信号を入力することとなる。
【００２７】
そして、サブＣＰＵ３３ａは、入力した基準クロック信号の周波数をさらに１／１６に分周して内部クロック信号を生成する。サブＣＰＵ３３ａは、この内部クロック信号の周期毎に計測値に１加算する。そして、サブＣＰＵ３３ａは、計測値が所定の値になったとき、割込周期が１周期経過したものとして各種処理を実行するようになっている。すなわち、サブＣＰＵ３３ａは、内部クロック信号の周期が所定周期経過したことを計測した場合、割込周期が経過したものとしている。
【００２８】
具体的には、１０ＭＨｚの基準クロック信号の周波数を１／１６に分周した内部クロック信号の周期は、１．６μｓ（１．６マイクロ秒）となる。このため、サブＣＰＵ３３ａは、１．６μｓ毎に計測値を１加算し、計測値が所定値になったとき、割込周期が経過したとして、装飾ランプ１６を発光させるための各種処理を実行するようになっている。例えば、サブＣＰＵ３３ａは、この割込周期毎に、装飾ランプ１６への制御信号の出力及び出力停止を行うようになっている。
【００２９】
また、ランプ制御基板３３は、電圧検出回路４２を備えている。電圧検出回路４２は、電源回路３５から装飾ランプ１６（の駆動回路３６）及び電圧検出回路４２に印加されている脈流電圧の電圧値が、基準電圧値以下であるか否かを判定するための回路である。この電圧検出回路４２の構成について図３に基づき詳しく説明する。
【００３０】
電圧検出回路４２は、比較回路４３及びパルス生成回路４４から構成されている。比較回路４３は、図３に示すように、複数の抵抗器４３ａ、４３ｂ、４３ｃ、４３ｄと、コンパレータ（比較器）４３ｅから構成されている。比較回路４３には、脈流電圧が印加される接続端子４３ｆを有しており、当該接続端子４３ｆは、３３ＫΩの抵抗器４３ａと接続されている。当該抵抗器４３ａは、コンパレータ４３ｅのマイナス側入力端子と接続されている。また、当該抵抗器４３ａは、１０ＫΩの抵抗器４３ｂを介して接地されている。すなわち、コンパレータ４３ｅのマイナス側入力端子は、抵抗器４３ｂを介して接地されている。
【００３１】
また、比較回路４３には、電源回路３５から５Ｖの直流電流が印加される接続端子４３ｇを有しており、当該接続端子４３ｇは、１０ＫΩの抵抗器４３ｃと接続されている。また、接続端子４３ｇは、コンパレータ４３ｅのマイナス側電源端子に直接接続されており、５Ｖの直流電流が抵抗器を介さずに直接印加されるようになっている。抵抗器４３ｃは、コンパレータ４３ｅのプラス側入力端子に接続されている。また、抵抗器４３ｃは、１０ＫΩの抵抗器４３ｄを介して接地されている。すなわち、コンパレータ４３ｅのプラス側入力端子は、抵抗器４３ｄを介して接地されている。また、コンパレータ４３ｅのプラス側電源端子は、直接接地されている。そして、コンパレータ４３ｅの出力端子は、パルス生成回路４４に接続されている。
【００３２】
ここで、比較回路４３に印加される実効値２４Ｖの脈流電圧のピーク値は、約３４Ｖである。そして、コンパレータ４３ｅのマイナス側入力端子に印加される電圧のピーク値は、抵抗器４３ａを介して電流が流れるため、８Ｖとなる。一方、コンパレータ４３ｅのプラス側入力端子に印加される電圧値は、抵抗器４３ｃを介して電流が流れるため、２．５Ｖとなる。そして、コンパレータ４３ｅは、マイナス側入力端子に印加される電圧値を、プラス側入力端子に印加される電圧値と比較するものであるから、０〜８Ｖの範囲内で変化する脈流電圧を２．５Ｖの基準電圧値と比較することとなる。そして、コンパレータ４３ｅは、基準電圧値よりも脈流電圧の電圧値が高ければ、出力端子に印加する電圧値を５Ｖにし、低ければ、出力端子に印加する電圧値を０Ｖとする。なお、抵抗器４３ａを介して脈流電圧をコンパレータ４３ｅに印加したのは、コンパレータ４３ｅに３４Ｖもの高電圧の脈流電圧を印加すると、コンパレータ４３ｅが壊れる場合があるためである。従って、本実施形態の比較回路４３は、脈流電圧が予め決められた基準電圧値であるか否か判定する判定手段として機能する。
【００３３】
パルス生成回路４４は、図３に示すように、複数の抵抗器４４ａ，４４ｂと、複数のコンデンサ４４ｃ，４４ｄと、タイマ回路（タイマＩＣ）４４ｅから構成されている。タイマ回路４４ｅは、比較回路４３の出力端子（コンパレータ４３ｅの出力端子）と接続されている。そして、比較回路４３からタイマ回路４４ｅへ印加される電圧が５Ｖから０Ｖとなったとき、すなわち、脈流電圧が基準電圧値以下となったと判定されたとき、タイマ回路４４ｅは、パルス生成回路４４の出力端子に印加する電圧値を所定時間の間０Ｖから５Ｖに変更し、５Ｖの検知信号を所定時間出力するようになっている。従って、電圧検出回路４２は、脈流電圧の電圧値が基準電圧値以下となった時から所定時間の間、５Ｖの検知信号をサブＣＰＵ３３ａに入力するようになっている。この検知信号の入力時に基づき、サブＣＰＵ３３ａは、脈流電圧の電圧値が基準電圧値以下となった時点を判別することができるようになっている。従って、本実施形態のパルス生成回路４４は、比較回路４３の判定結果が肯定である場合、比較回路４３の判定結果が肯定であることを知らせる検知信号をサブＣＰＵ３３ａに出力する出力手段となる。
【００３４】
次に、装飾ランプ１６について図２に基づき説明する。
装飾ランプ１６は、複数の発光素子（本実施形態では、発光ダイオード（以下、ＬＥＤと示す）４１）及び駆動回路３６から構成されている。ＬＥＤ４１は、電圧が印加されることにより発光するように構成されている。ＬＥＤ４１は、印加される電圧値の大きさによって発光時の輝度が変更される。すなわち、ＬＥＤ４１は、印加される電圧値が大きいほど発光時の輝度が大きくなり、印加される電圧値が小さいほど発光時の輝度が小さくなるように構成されている。
【００３５】
駆動回路３６は、ランプ制御基板３３のサブＣＰＵ３３ａから入力した制御信号に基づき、ＬＥＤ４１毎に電源回路３５から印加される脈流電圧をそれぞれ印加するように構成されている。具体的には、ランプ制御基板３３のサブＣＰＵ３３ａからＬＥＤ４１を点灯させるための点灯信号をＬＥＤ４１毎に入力した場合、駆動回路３６は、点灯信号を入力している間、点灯させるＬＥＤ４１に電源回路３５から印加される脈流電圧を印加するようになっている。一方、ランプ制御基板３３のサブＣＰＵ３３ａから点灯信号を入力していない場合、駆動回路３６は、脈流電圧を印加しないようになっている。従って、本実施形態のサブＣＰＵ３３ａは、ＬＥＤ４１への脈流電圧の印加が行われるように制御する点灯制御及びＬＥＤ４１への脈流電圧の印加停止が行われるように制御する消灯制御を行う発光制御手段となる。
【００３６】
次に、ランプ制御基板３３のサブＣＰＵ３３ａが、装飾ランプ１６の発光態様を制御するために行う各種処理について説明する。
本実施形態において、パチンコ機１０に電源が供給されると、電源基板２６の電源回路３５は、各制御基板３１〜３４及び電圧検出回路４２に電源電圧を供給する。また、電源基板２６の電源回路３５は、装飾ランプ１６の駆動回路３６及び電圧検出回路４２に脈流電圧を印加する。これにより、電圧検出回路４２は、脈流電圧の基準電圧値以下となる毎、即ち、脈流電圧の脈流周期の１周期毎に検知信号をサブＣＰＵ３３ａに出力する。また、サブＣＰＵ３３ａは、電源電圧の供給が開始されると、発光制御プログラムに基づき、初期設定を開始する。このとき、サブＣＰＵ３３ａは、初期設定において、図４に示す周波数識別処理を行う。
【００３７】
具体的には、周波数識別処理において、サブＣＰＵ３３ａは、所定の単位時間（本実施形態では、１秒（１ｓ））の間、電圧検出回路４２から入力した検知信号の回数を計測し、ＲＡＭ３３ｃに一時的に記憶する（ステップＳ１１）。そして、サブＣＰＵ３３ａは、所定の単位時間経過後、ＲＡＭ３３ｃに一時的に記憶した検知信号の入力回数が所定の周波数判定値（本実施形態では、１１０）未満であるか否か判定する（ステップＳ１２）。
【００３８】
なお、この周波数判定値は、パチンコ機１０に供給される電源電圧の周波数が５０Ｈｚであるときの脈流電圧（脈流周期が１０ｍｓ）が印加された場合における検知信号の前記単位時間当りの入力回数と、電源電圧が６０Ｈｚであるときの脈流電圧（脈流周期が約８．３３ｍｓ）が印加された場合における入力回数との中間値としている。すなわち、周波数判定値は、脈流周期が１０ｍｓの脈流電圧が印加された場合における検知信号の前記単位時間当りの入力回数（すなわち、１００回）と、脈流周期が８．３３ｍｓの脈流電圧が印加された場合における検知信号の前記単位時間当りの入力回数（すなわち、１２０回）の中間値としている。中間値としたのは、入力回数の誤差を考慮したためである。
【００３９】
この判定結果が肯定の場合（入力回数が周波数判定値未満の場合）、サブＣＰＵ３３ａは、パチンコ機１０に供給される電源電圧の周波数が５０Ｈｚであることを示す５０Ｈｚ用フラグを設定し（ステップＳ１３）、周波数識別処理を終了する。一方、判定結果が否定の場合（入力回数が周波数判定値以上の場合）、サブＣＰＵ３３ａは、パチンコ機１０に供給される電源電圧の周波数が６０Ｈｚであることを示す６０Ｈｚ用フラグを設定し（ステップＳ１４）、周波数識別処理を終了する。
【００４０】
そして、本実施形態において、サブＣＰＵ３３ａは、発光制御を行う際、メインＣＰＵ３１ａからの制御信号及び周波数識別処理における設定に基づき、点灯信号の出力タイミングを設定する。サブＣＰＵ３３ａは、設定された出力タイミングに基づき、点灯信号をＬＥＤ４１に出力することにより装飾ランプ１６の発光態様を制御する。以下、詳しく説明する。まず、周波数が５０Ｈｚの電源電圧がパチンコ機１０に供給される場合について図５（ａ）及び図６を用いて説明する。
【００４１】
サブＣＰＵ３３ａは、点灯信号の出力タイミングを設定する際、まず、周波数識別処理における設定に基づき制御周期を設定する。ここで、サブＣＰＵ３３ａは、１制御周期を、脈流の脈流周期と所定時間差分が生じるように設定する。サブＣＰＵ３３ａは、前記所定時間差分を、０秒より大きく０．５ｍｓ以下の範囲で設定する。本実施形態では、サブＣＰＵ３３ａは、周波数識別処理により５０Ｈｚ用フラグが設定されていた場合（５０Ｈｚの電源電圧が供給されていた場合）、５０Ｈｚの電源電圧が供給されたときにおける脈流周期（１０．００００ｍｓ）に所定時間差分（０．００８０ｍｓ）を加算した周期（１０．００８０ｍｓ）を１制御周期として設定する。
【００４２】
そして、サブＣＰＵ３３ａは、５０Ｈｚ用フラグが設定されていた場合、１制御周期を５割込周期とし（図５（ａ）参照）、割込周期を２．００１６ｍｓに設定する。すなわち、割込周期の経過を判定するために使用する計測値の所定値は、割込周期（２．００１６ｍｓ）を内部クロックの周期（１．６μｓ＝０．００１６ｍｓ）で除算することにより求められることとなる。従って、５０Ｈｚ用フラグが設定されていた場合には「１２５１」とする。すなわち、サブＣＰＵ３３ａは、５０Ｈｚ用フラグが設定されていた場合には内部クロック信号の周期が１２５１周期経過する毎に、割込周期が経過したものとする。
【００４３】
さらに、サブＣＰＵ３３ａは、５０Ｈｚ用フラグが設定されていたことに基づき、１制御周期のうち、最初の割込周期において点灯信号を出力するように設定し、残りの４割込周期において点灯信号の出力を停止するように設定する（図５（ａ）参照）。なお、５０Ｈｚ用フラグが設定されていた場合における制御周期、計測値の所定値、１制御周期当たりの割込周期数、並びに１制御周期における点灯信号の出力及び出力停止を行うタイミングは、予めＲＯＭ３３ｂに記憶されている。すなわち、サブＣＰＵ３３ａは、ＲＯＭ３３ｂからこれらの制御内容を読み出し、設定することとなる。
【００４４】
以上のように、サブＣＰＵ３３ａは、制御周期と脈流周期との間に予め決められた範囲内の所定時間差分が生じるように割込周期を計測する際の計測値の所定値が設定されることにより、脈流周期に所定時間差分が生じるように差分周期を計測し、当該差分周期を制御周期として信号出力を周期的に実行している。従って、本実施形態のサブＣＰＵ３３ａは、脈流電圧の脈流周期に所定時間差分が生じるように差分周期（制御周期）を計測する差分周期計測手段として機能する。
【００４５】
サブＣＰＵ３３ａは、点灯信号の出力タイミングを設定した後、電圧検出回路４２から検知信号を入力したことを契機に、制御周期を開始する。そして、サブＣＰＵ３３ａは、設定した出力タイミングに基づき、当該制御周期の開始時に点灯信号を駆動回路３６に出力する。駆動回路３６は、点灯信号を入力すると、制御周期の開始時から１割込周期が経過するまでの間、脈流電圧をＬＥＤ４１に印加する。これにより、図６に示すように、ＬＥＤ４１は、脈流電圧が印加されている間（１割込周期が経過するまでの間）、点灯する。なお、図６では、脈流電圧を破線で示し、点灯しているＬＥＤ４１の輝度を実線で示す。また、図６に示すように、点灯しているＬＥＤ４１の輝度の大きさは、脈流電圧の大きさに正比例して変化する。
【００４６】
そして、サブＣＰＵ３３ａは、設定した出力タイミングに基づき、１割込周期が経過した後（計測値が所定値に達したとき）、次の割込周期において点灯信号の駆動回路３６への出力を停止する（図５（ａ）参照）。これにより、駆動回路３６は、１割込周期が経過するまで脈流電圧をＬＥＤ４１に印加しない。従って、ＬＥＤ４１は、１割込周期が経過するまで消灯する（すなわち、輝度が０となる）。このようにして、サブＣＰＵ３３ａは、５０Ｈｚ用フラグが設定されていた場合には、図５（ａ）に示すように、点灯信号を１回出力した後、４割込周期続けて（４回続けて）点灯信号の出力を停止する。すなわち、サブＣＰＵ３３ａは、５０Ｈｚ用フラグが設定されていた場合には、点灯信号を出力して１割込周期経過後から制御周期終了までＬＥＤ４１を消灯させる。
【００４７】
４回続けて点灯信号の出力を停止した後、次の制御周期において、サブＣＰＵ３３ａは、同様にして再び点灯信号を１回出力し、その後、同じように点灯信号の出力停止を４回続けて行う。すなわち、サブＣＰＵ３３ａは、点灯信号の出力及び出力停止を同様の順番（パターン）で制御周期毎に繰り返す。換言すれば、サブＣＰＵ３３ａは、制御周期に従って、周期的に点灯信号の出力及び出力停止を繰り替えし、ＬＥＤ４１への脈流電圧の印加及び印加停止を周期的に行うように駆動回路３６を制御する。
【００４８】
このように発光制御することにより、ＬＥＤ４１は、図６に示すように点滅を繰り返すこととなる。しかし、点灯する間隔は極めて短い（４割込周期（８．００６４ｍｓ））ので、人間の視覚には、点灯したときの残像により常に（連続して）ＬＥＤ４１が点灯しているように認識される。そして、脈流周期と制御周期は所定時間差分があるため、１制御周期においてＬＥＤ４１に印加される脈流電圧の電圧値は、全体的にみれば、周期的に増減する。具体的に図６に基づき説明する。
【００４９】
図６において２回目の制御周期Ｂにおける印加開始時（時点Ｂ１）の電圧値は、図６において最初の制御周期Ａにおける印加開始時（時点Ａ１）の電圧値よりも高くなっている。同様に制御周期Ｂにおける印加開始時から所定時間ｔ経過時の電圧値は、制御周期Ａにおける印加開始時から所定時間ｔ経過時の電圧値よりも高くなっている。また、全体として比べたとき制御周期Ａよりも制御周期Ｂにおいて印加される脈流電圧の方が高くなっている。すなわち、制御周期Ａにおいて印加される脈流電圧の平均値よりも制御周期Ｂにおいて印加される脈流電圧の平均値の方が高くなっている。従って、ＬＥＤ４１の輝度も、制御周期Ａよりも制御周期Ｂにおいて全体的に高くなっている。同様にして、制御周期Ｃまでは、各制御周期において印加される脈流電圧の平均値が高くなっていくので、ＬＥＤ４１の輝度が全体的に高くなっていく。
【００５０】
そして、制御周期Ｃから制御周期Ｆまでは、逆に、制御周期において印加される脈流電圧が全体的に低くなっていく。例えば、全体として比べたとき制御周期Ｄよりも制御周期Ｅにおいて印加される脈流電圧の方が低くなっている。すなわち、制御周期Ｄにおいて印加される脈流電圧の平均値よりも制御周期Ｅにおいて印加される脈流電圧の平均値の方が低くなっている。従って、ＬＥＤ４１の輝度も、制御周期Ｄよりも制御周期Ｅにおいて全体的に低くなっている。以降、ＬＥＤ４１の輝度は、同様にして増減を繰り返していく。
【００５１】
そして、前述したように、ＬＥＤ４１は、人間の視覚には点滅しているようには認識できないので、ＬＥＤ４１の輝度は、人間の視覚には、徐々に増減を繰り返すように認識される。なお、図６では、説明を分かり易くするため、所定時間差分を大きく図示している。
【００５２】
以上のことから、サブＣＰＵ３３ａは、一定の制御周期で周期的に点灯信号の出力及び出力停止を行うだけで、人間の視覚には、点滅することなく、徐々に輝度が増減するようにＬＥＤ４１が点灯していると認識される。また、サブＣＰＵ３３ａは、基準電圧値以下となったことを示す検知信号の入力開始時を契機として、発光制御を行うため、ＬＥＤ４１を所望の輝度で発光させることができる。従って、簡単な制御によりＬＥＤ４１の輝度を変化させる階調制御を行うことができる。
【００５３】
次に、周波数が６０Ｈｚの電源電圧がパチンコ機１０に供給される場合について図５（ｂ）及び図７を用いて説明する。
サブＣＰＵ３３ａは、メインＣＰＵ３１ａから入力した制御信号に基づいてＬＥＤ４１を点灯させる場合、点灯信号の出力タイミングを設定する。点灯信号の出力タイミングを設定する際、サブＣＰＵ３３ａは、まず、周波数識別処理における設定に基づき制御周期を設定する。本実施形態では、サブＣＰＵ３３ａは、周波数識別処理により６０Ｈｚ用フラグが設定されていた場合（６０Ｈｚの電源電圧が供給されていた場合）、６０Ｈｚの電源電圧が供給されたときにおける脈流周期（８．３３３３ｍｓ）に所定時間差分（０．３２６９ｍｓ）を減算した周期（８．００６４ｍｓ）を１制御周期として設定する。
【００５４】
そして、サブＣＰＵ３３ａは、６０Ｈｚ用フラグが設定されていた場合、１制御周期を４割込周期とし（図５（ｂ）参照）、割込周期を２．００１６ｍｓに設定する。従って、計測値の所定値は、６０Ｈｚ用フラグが設定されていた場合と同様に「１２５１」となる。すなわち、サブＣＰＵ３３ａは、６０Ｈｚ用フラグが設定されていた場合には内部クロック信号の周期が１２５１周期経過する毎に、割込周期が経過したものとする。
【００５５】
さらに、サブＣＰＵ３３ａは、６０Ｈｚ用フラグが設定されていたことに基づき、１制御周期のうち、最初の割込周期において点灯信号を出力するように設定し、残りの３割込周期において点灯信号の出力を停止するように設定する（図５（ｂ）参照）。なお、６０Ｈｚ用フラグが設定されていた場合における制御周期、計測値の所定値、１制御周期当たりの割込周期数、並びに１制御周期における点灯信号の出力及び出力停止を行うタイミングは、予めＲＯＭ３３ｂに記憶されている。
【００５６】
以上のように、サブＣＰＵ３３ａは、周波数識別処理においてパチンコ機１０に供給される電源電圧の周波数を判定し、当該周波数、すなわち、脈流周期に基づき、発光制御（点灯信号の出力及び出力停止、すなわち、脈流電圧の印加時間及び印加停止時間）の内容を変更する。より具体的には、１制御周期における点灯信号の出力及び出力停止のタイミングなどが示されている制御パターンを予め印加される脈流電圧の脈流周期に応じてＲＯＭ３３ｂに記憶しておき、サブＣＰＵ３３ａは、脈流周期に応じて当該制御パターンを読み出し、出力タイミングを設定している。従って、本実施形態のＲＯＭ３３ｂは、ＬＥＤ４１への脈流電圧の印加時間及び印加停止時間が設定されている発光制御の制御パターンがＬＥＤ４１に印加される脈流電圧の脈流周期に応じて記憶されている記憶手段となる。
【００５７】
サブＣＰＵ３３ａは、点灯信号の出力タイミングを設定した後、電圧検出回路４２から検知信号を入力したことを契機に、制御周期を開始する。そして、サブＣＰＵ３３ａは、設定した出力タイミングに基づき、当該制御周期の開始時に、点灯信号を駆動回路３６に出力する。駆動回路３６は、点灯信号を入力すると、制御周期の開始時から１割込周期が経過するまでの間、電源回路３５から印加されている脈流電圧をＬＥＤ４１に印加する。これにより、図７に示すように、ＬＥＤ４１は、脈流電圧が印加されている間（１割込周期が経過するまでの間）、点灯する。なお、図７では、脈流電圧を破線で示し、点灯しているＬＥＤ４１の輝度を実線で示す。また、図７に示すように、点灯しているＬＥＤ４１の輝度の大きさは、脈流電圧の大きさに正比例して変化する。
【００５８】
そして、サブＣＰＵ３３ａは、設定した出力タイミングに基づき、１割込周期が経過した後（計測値が所定値に達したとき）、次の割込周期において点灯信号の駆動回路３６への出力を停止する。これにより、駆動回路３６は、１割込周期が経過するまで脈流電圧をＬＥＤ４１に印加しない。従って、ＬＥＤ４１は、１割込周期が経過するまで消灯する（すなわち、輝度が０となる）。このようにして、サブＣＰＵ３３ａは、６０Ｈｚ用フラグが設定されていた場合には、設定した出力タイミングに基づき、図５（ｂ）に示すように、点灯信号を１回出力した後、３割込周期続けて（３回続けて）点灯信号の出力を停止する。３回続けて点灯信号の出力を停止した後、次の制御周期において、サブＣＰＵ３３ａは、同様にして再び点灯信号を１回出力し、その後、同じように点灯信号の出力停止を３回続けて行う。
【００５９】
このように発光制御することにより、ＬＥＤ４１は、図７に示すように点滅を繰り返すこととなる。しかし、点灯する間隔は極めて短い（３割込周期（６．００４８ｍｓ））ので、人間の視覚には、点灯したときの残像により常に（連続して）ＬＥＤ４１が点灯しているように認識される。そして、脈流周期と制御周期は所定時間差分があるため、１制御周期においてＬＥＤ４１に印加される脈流電圧の電圧値は、全体的に徐々に増減する。具体的に図７に基づき説明する。
【００６０】
図７において２回目の制御周期Ｉにおける印加開始時（時点Ｉ１）の電圧値は、図７において最初の制御周期Ｈにおける印加開始時（時点Ｈ１）の電圧値よりも高くなっている。同様に制御周期Ｉにおける印加開始時から所定時間ｔ経過時の電圧値は、制御周期Ｈにおける印加開始時から所定時間ｔ経過時の電圧値よりも高くなっている。また、全体として比べたとき制御周期Ｈよりも制御周期Ｉにおいて印加される脈流電圧の方が高くなっている。すなわち、制御周期Ｈにおいて印加される脈流電圧の平均値よりも制御周期Ｉにおいて印加される脈流電圧の平均値の方が高くなっている。従って、ＬＥＤ４１の輝度も、制御周期Ｈよりも制御周期Ｉにおいて全体的に高くなっている。同様にして、制御周期Ｊまでは、各制御周期において印加される脈流電圧の平均値が高くなっていくので、ＬＥＤ４１の輝度が全体的に高くなっていく。
【００６１】
そして、制御周期Ｊから制御周期Ｎまでは、逆に、制御周期において印加される脈流電圧が全体的に低くなっていく。例えば、全体として比べたとき制御周期Ｋよりも制御周期Ｌにおいて印加される脈流電圧の方が低くなっている。すなわち、制御周期Ｋにおいて印加される脈流電圧の平均値よりも制御周期Ｌにおいて印加される脈流電圧の平均値の方が低くなっている。従って、ＬＥＤ４１の輝度も、制御周期Ｋよりも制御周期Ｌにおいて全体的に低くなっている。以降、ＬＥＤ４１の輝度は、同様にして増減を繰り返していく。
【００６２】
そして、前述したように、ＬＥＤ４１は、人間の視覚には点滅しているようには認識できないので、ＬＥＤ４１の輝度は、人間の視覚には、徐々に増減を繰り返すように認識される。なお、図７では、説明を分かり易くするため、所定時間差分を大きく図示している。
【００６３】
以上のことから、サブＣＰＵ３３ａは、一定の制御周期で周期的に点灯信号の出力及び出力停止を行うだけで、人間の視覚には、点滅することなく、徐々に輝度が増減するようにＬＥＤ４１が点灯していると認識される。従って、簡単な制御によりＬＥＤ４１の輝度を変化させる階調制御を行うことができる。そして、５０Ｈｚの電源電圧を供給した場合であっても、６０Ｈｚの電源電圧を供給した場合であっても、サブＣＰＵ３３ａは、基準電圧以下となったことを示す検知信号の入力開始時にて発光制御を開始するため、発光制御の開始時においてＬＥＤ４１を同等の（近似した）輝度にて点灯させることができる。また、５０Ｈｚの電源電圧をパチンコ機１０に供給した場合であっても、６０Ｈｚの電源電圧を供給した場合であっても、サブＣＰＵ３３ａが供給される電源電圧に応じて制御内容を変更するため、ＬＥＤ４１の輝度は、低い値から周期的に増減する。すなわち、サブＣＰＵ３３ａは、脈流周期に応じて脈流電圧の印加時間及び印加停止時間を変更するので、ＬＥＤ４１を近似的な発光態様で発光させることができる。
【００６４】
以上詳述したように、本実施形態は、以下の効果を有する。
（１）脈流電圧が予め決められた基準電圧値以下であることを知らせる検知信号を出力する電圧検出回路４２を設けた。そして、サブＣＰＵ３３ａは、当該検知信号を入力したことを契機として、脈流電圧をＬＥＤ４１に印加して点灯制御を行うようにした。このため、電圧値が周期的に変化する脈流電圧をＬＥＤ４１に印加して点灯させる場合であっても、常に一定の電圧を印加することができ、ＬＥＤ４１を所望の輝度にて発光させることができる。従って、毎回同じ輝度にてＬＥＤ４１を点灯させると共に毎回同じ発光演出を行わせることができ、遊技者の興趣を確実に向上させることができる。
【００６５】
（２）また、サブＣＰＵ３３ａは、周波数識別処理において、当該検知信号の単位時間当たりの入力回数に基づき発光制御の制御内容（具体的には、脈流電圧の印加タイミング）を変更するようにした。すなわち、サブＣＰＵ３３ａは、５０Ｈｚ用フラグを設定した場合（５０Ｈｚの周波数を有する電源電圧が供給されていると判定した場合）、１制御周期を５割込周期と設定し、最初の割込周期において脈流電圧を印加する一方、残りの４割込周期においては印加しないようにした。そして、サブＣＰＵ３３ａは、６０Ｈｚ用フラグを設定した場合（５０Ｈｚの周波数を有する電源電圧が供給されている都判定した場合）、１制御周期を４割込周期と設定し、最初の割込周期において脈流電圧を印加する一方、残りの３割込周期においては印加しないようにした。換言すれば、制御パターン（１制御周期における点灯信号の出力及び出力停止のタイミングなど）を予め記憶しておき、パチンコ機１０に供給される電源電圧の周波数に応じて、制御パターンを変更した。そして、検知信号を契機として発光制御を開始することから、異なる周期（周波数）を有する脈流電圧をＬＥＤ４１に印加した場合であっても、装飾ランプ１６を構成するＬＥＤ４１は、同等の（近似した）輝度にて点灯を開始し、以降、周期的に輝度が変化することとなる。すなわち、サブＣＰＵ３３ａの構成を変更することなく、近似した発光態様でＬＥＤ４１を発光させることができる。従って、興趣を向上させることができる発光制御を簡単に行うことができる。
【００６６】
（３）制御周期と脈流電圧の脈流周期との間に所定時間差分が生じるように、１制御周期当たりの割込周期の数及び計測値の所定値が設定されている。このため、サブＣＰＵ３３ａは、制御周期に従って、点灯信号を周期的に出力して駆動回路３６に脈流電圧をＬＥＤ４１に印加させると、制御周期の１周期においてＬＥＤ４１に印加される脈流電圧の電圧値が全体として周期的に徐々に増減する。すなわち、印加される電圧値の平均値が周期的に増減する。このため、制御周期毎に、ＬＥＤ４１の輝度も全体として周期的に変化することとなる。そして、制御周期を極めて短くすると、人間の視覚には、ＬＥＤ４１が点滅することなく徐々に輝度が周期的に増減するように認識される。このため、サブＣＰＵ３３ａは、ＬＥＤ４１に印加する電圧値を細かく制御しなくても、脈流周期に所定時間差分を生じさせた制御周期（差分周期）に従って周期的に脈流電圧の印加及び印加停止を行うように制御するだけで、電圧値が変化する脈流電圧を利用してＬＥＤ４１の輝度を徐々に変化させることができる。また、サブＣＰＵ３３ａは、電圧検出回路４２からの検知信号の入力開始時、すなわち、脈流電圧の電圧値が基準電圧値以下となった時点を契機としてＬＥＤ４１を点灯させるため、点灯開始時から所望の輝度を得ることができる。従って、興趣を向上させることができる発光制御を簡単に行うことができる。
【００６７】
（４）脈流電圧の電圧値と基準電圧値とが一致したときだけ、又は脈流電圧の電圧値が基準電圧値以下となったときだけ、或いは脈流電圧の電圧値が基準電圧値以上となったときだけ、検知信号を出力するようにした場合、検知信号の出力が一瞬で終了してしまう虞がある。そして、検知信号の入力が一瞬で終了した場合、サブＣＰＵ３３ａがノイズとして検知信号の入力による処理を実行しない場合や検知信号の入力を認識できない場合がある。そこで、本実施形態では、電圧検出回路４２にパルス生成回路４４を設け、脈流電圧の電圧値が基準電圧値以下になったと検知した場合に、一定時間検知信号をサブＣＰＵ３３ａに出力するようにした。これにより、サブＣＰＵ３３ａに検知信号を確実に入力することができる。
【００６８】
（５）装飾ランプ１６の発光素子として、発光制御に対する応答性の良いＬＥＤ４１を使用した。このため、ＬＥＤ４１のちらつきを抑え、輝度の変化を鮮やかに見せることができる。
【００６９】
（６）電圧検出回路４２は、脈流電圧の電圧値が基準電圧値以下となったことを契機に、検知信号を出力するようにした。このようにすることにより、基準電圧値をピーク値などに設定しなくても、脈流電圧の脈流周期の１周期あたり１回しか検知信号が出力されなくなる。このため、検知信号入力時から、点灯制御及び消灯制御を行うことにより、簡単且つ確実に一定の輝度にてＬＥＤ４１を発光させることができる。
【００７０】
（７）１制御周期を複数の割込周期に設定したため、点灯信号の出力契機又は出力停止契機となる割込周期の設定を変更すること、又は１制御周期における割込周期の数を変更することにより、簡単に制御周期と脈流電圧の脈流周期との間に所定時間差分を生じさせることができる。従って、回路変更や部品の追加をしなくても、サブＣＰＵ３３ａが処理するプログラムを変更するだけで簡単にＬＥＤ４１の輝度を変化させることができる。
【００７１】
（８）サブＣＰＵ３３ａは、周波数発振器４０から出力された外部クロック信号の周波数を分周した内部クロック信号の入力回数（経過した周期の回数）を計測することにより、割込周期を計測する。すなわち、サブＣＰＵ３３ａは、内部クロック信号の周期に基づいて、計測値に１加算し、当該計測値が所定値に達した場合に、割込周期が経過したと判定する。このため、サブＣＰＵ３３ａは、分周された内部クロック信号の入力回数、即ち、計測値の所定値を変更することにより、簡単に割込周期を変更することができる。従って、回路変更や部品の追加を行わなくても、プログラムを変更するだけで、制御周期と脈流周期との間に所定時間差分を生じさせることができ、簡単にＬＥＤ４１の輝度を変化させることができる。
【００７２】
（９）所定時間差分が０．５ミリ秒以下であれば、遊技者の視覚には、ＬＥＤ４１が点滅して見えるようなことがないことが実験上分かっている。そこで、本実施形態では、所定時間差分を０．００８０ｍｓ又は０．３２６９ｍｓとした。このため、階調制御によってＬＥＤ４１の輝度を変化させる際、好適な態様で行うことができる。
【００７３】
（１０）サブＣＰＵ３３ａに外部クロック信号を１／２に分周する分周回路を内部的に設けた。このため、外部クロック信号の周波数を分周するためだけに、プログラムを変更する必要がなくなり、プログラム改変の手間を省くことができる。
【００７４】
尚、上記実施形態は、次のような別の実施形態（別例）にて具体化できる。
○上記実施形態では、サブＣＰＵ３３ａに分周回路を内部的に設けたが、サブＣＰＵ３３ａに基準クロック信号の周波数を分周させるようにすれば、サブＣＰＵ３３ａに分周回路を設けなくても良い。このようにすれば、分周するための回路を設けることなくプログラムの変更により、外部クロック信号の周波数を分周することができる。このため、回路変更などをしなくても、簡単にできる。
【００７５】
○上記実施形態では、１制御周期内において、１回点灯信号を出力した後、３回又は４回連続して点灯信号の出力を停止したが、点灯信号の出力及び出力停止が周期的に行われるならば、点灯信号の出力及び出力停止の回数並びに順番を変更しても良い。例えば、点灯信号の出力停止を２回（２割込周期）連続して行った後、３回（３割込周期）連続して点灯信号を出力するようにしてもよい。
【００７６】
○上記実施形態の１制御周期は、４割込周期又は５割込周期からなっていたが、２以上の割込周期より構成され、且つ、パチンコ機１０に異なる周波数の電源電圧が供給されてもＬＥＤ４１を近似した発光態様で発光させることができるならば、１制御周期当たりの割込周期の数を任意に変更しても良い。例えば、６割込周期を１制御周期としても良い。
【００７７】
○上記実施形態において、所定時間差分を設定する場合、所定時間差分を０．５ミリ秒以下の範囲で変更しても良い。所定時間差分が０．５ミリ秒以下の範囲であるならば、遊技者の視覚には、ＬＥＤ４１が点滅して見えるようなことがない。
【００７８】
○上記実施形態において、割込周期の経過を判定するための計測値の所定値を任意に変更しても良い。例えば、所定値を「１２５２」にしても良い。
○上記実施形態において、脈流周期と制御周期との間に、所定時間差分を設けなくても良い。このようにすれば、ＬＥＤ４１を一定の輝度で点灯させることができる。
【００７９】
○上記実施形態では、サブＣＰＵ３３ａは、ＬＥＤ４１を消灯させるために、点灯信号を出力しないようにしたが、ＬＥＤ４１の消灯を指示する消灯信号を出力して消灯制御を行っても良い。
【００８０】
○上記実施形態の電圧検出回路４２は、脈流電圧の電圧値が基準電圧値以下となったときに、検知信号を出力するようにしたが、脈流電圧の電圧値が基準電圧値と一致した場合、又は基準電圧値以上となった場合に、検知信号を出力するようにしても良い。
【００８１】
○上記実施形態では、装飾ランプ１６の発光素子としてＬＥＤ４１を使用したが、ＬＥＤ４１以外の発光素子、例えば、ハロゲンランプ、水銀ランプなどを使用しても良い。
○上記実施形態では、駆動回路３６を装飾ランプ１６に設けたが、ランプ制御基板３３に設けても良い。
【００８２】
○上記実施形態では、駆動回路３６をランプ制御基板３３と別個に構成したが、ランプ制御基板３３に組み込んでも良い。その場合、電源基板２６の全波整流回路３５ｃから駆動回路３６に印加（供給）されていた脈流を、ランプ制御基板３３に印加するように構成する。ランプ制御基板３３からＬＥＤ４１を経由して再びランプ制御基板３３に接続し、接地するように導通させる回路を採用して脈流をＬＥＤ４１に印加することとなる。そして、ランプ制御基板３３から接地する部分をサブＣＰＵ３３ａが駆動制御（導通又は非導通）することにより、ＬＥＤ４１を点灯又は消灯することとなる。
【００８３】
○上記実施形態の脈流として、直流電流をスイッチングにより断続電流化させたものを使用しても良い。
○上記実施形態において、メインＣＰＵ３０ａから入力する制御信号の種類に応じて、点灯信号の出力タイミングを変更しても良い。この場合、パチンコ機１０に供給される電源電圧の周波数及び制御信号の種類に応じて、点灯信号の出力タイミングを予めＲＯＭ３３ｂに記憶することとなる。このようにすることにより、遊技演出の種類を増やすことができる。
【００８４】
次に、上記実施形態及び別例から把握できる技術的思想を以下に追記する。
（イ）脈流電圧を印加する電源装置と、前記電源装置から前記脈流電圧が印加されることにより、前記脈流電圧の印加時の電圧値に応じた輝度で発光する発光素子と、前記脈流電圧が予め決められた基準電圧値以上であるか否か判定する判定手段と、前記判定手段の判定結果が肯定である場合、前記判定手段の判定結果が肯定であることを知らせる検知信号を出力する出力手段を有する電圧検出回路と、前記電圧検出回路からの前記検知信号の入力を契機に、前記発光素子への前記脈流電圧の印加及び印加停止が所定の制御周期に従って周期的に行われるように制御する発光制御を行う発光制御手段を備え、前記発光制御手段は、予め定めた単位時間当たりの前記検知信号の入力回数から前記発光素子に印加される前記脈流電圧の脈流周期を特定し、特定した脈流周期に応じて前記発光制御の制御内容を変更することを特徴とする遊技機。
【００８５】
（ロ）脈流電圧を印加する電源装置と、前記電源装置から前記脈流電圧が印加されることにより、前記脈流電圧の印加時の電圧値に応じた輝度で発光する発光素子と、前記脈流電圧が予め決められた基準電圧値以下であるか否か判定する判定手段と、前記判定手段の判定結果が肯定である場合、前記判定手段の判定結果が肯定であることを知らせる検知信号を出力する出力手段を有する電圧検出回路と、前記電圧検出回路からの前記検知信号の入力を契機に、前記発光素子への前記脈流電圧の印加及び印加停止が所定の制御周期に従って周期的に行われるように制御する発光制御を行う発光制御手段を備え、前記発光制御手段は、予め定めた単位時間当たりの前記検知信号の入力回数から前記発光素子に印加される前記脈流電圧の脈流周期を特定し、特定した脈流周期に応じて前記発光制御の制御内容を変更することを特徴とする遊技機。
【００８６】
（ハ）前記発光素子として、発光ダイオードを使用したことを特徴とする請求項１〜請求項６のうちいずれか一項に記載の遊技機。
【図面の簡単な説明】
【００８７】
【図１】パチンコ遊技機の機表側を示す正面図。
【図２】パチンコ遊技機の制御構成を示すブロック図。
【図３】電圧検出回路を示す回路図。
【図４】周波数識別処理を示すフローチャート。
【図５】（ａ）及び（ｂ）は点灯信号の出力タイミングを示すタイミングチャート。
【図６】発光ダイオードが発光するタイミングを示すタイミングチャート。
【図７】発光ダイオードが発光するタイミングを示すタイミングチャート。
【符号の説明】
【００８８】
１０…パチンコ遊技機（遊技機）、１６…装飾ランプ、２０…表示装置、２０ａ…可変表示器、２６…電源基板、３０…主制御基板、３１ａ…メインＣＰＵ、３３…ランプ制御基板、３３ａ…サブＣＰＵ（発光制御手段、差分周期計測手段）、３３ｂ…ＲＯＭ（記憶手段）、３５…電源回路（電源装置）、３５ｃ…全波整流回路、３５ｄ…平滑回路、３５ｅ…電圧変換回路、３６…駆動回路、４１…発光ダイオード（ＬＥＤ、発光素子）、４０…周波数発振器、４２…電圧検出回路、４３…比較回路（判定手段）、４４…パルス生成回路（出力手段）。
【図１】
0004644558.tif 000002
【図２】
0004644558.tif 000003
【図３】
0004644558.tif 000004
【図４】
0004644558.tif 000005
【図５】
0004644558.tif 000006
【図６】
0004644558.tif 000007
【図７】
0004644558.tif 000008